(57)【要約】【課題】キッチンカウンター下に設置する機械を位置決めして固定する装置の設置作業を簡単化する。【解決手段】本装置は機械載置部材に固定される固定側移動防止部材２２と、その固定側移動防止部材２２にスライド可能であるとともに当接部を有するスライド側移動防止部材４２で構成する。スライド側移動防止部材４２が一方側のスライド端に位置したときに固定側移動防止部材２２から離脱不可能となり、当接部が機械の脚１０ａに当接して機械が前方に移動することを防止する位置関係に置かれる。食器洗浄機１０（脚１０ａ含む）、補助部材７０、固定側移動防止部材２２、およびスライド側移動防止部材４２が連携することによって食器洗浄機１０が前後左右上下に移動することが防止され、なおかつ取り付け作業が簡単であり、補助部材７０の取り付け位置を工夫することにより、機械を見栄え良く位置決めできる。【選択図】　図９
2004008465.tif 000002
【特許請求の範囲】
【請求項１】
キッチンカウンター下に設置した機械が前方に移動するのを防止する装置であり、
機械載置部材に固定される固定側移動防止部材と、その固定側移動防止部材にスライド可能であるとともに当接部を有するスライド側移動防止部材を有し、そのスライド側移動防止部材が一方側のスライド端に位置したときに固定側移動防止部材から離脱不可能となり、前記当接部が機械の脚に当接して機械が前方に移動するのを防止する位置関係に置かれることを特徴とする位置決め装置。
【請求項２】
前記スライド側移動防止部材が他方側にスライドすると前記固定側移動防止部材から離脱可能となることを特徴とする請求項１の位置決め装置。
【請求項３】
機械の左右両サイドの前面に固定される一対の補助部材をさらに備え、その補助部材が固定側移動防止部材に係合することによって機械が上方に移動することを防止することを特徴とする請求項１又は２の位置決め装置。
【請求項４】
前記一対の補助部材が固定側移動防止部材に係合することによって、スライド側移動防止部材がスライドすることと、機械が左右方向に移動することと、機械が後方に移動することを防止することを特徴とする請求項３の位置決め装置。
【請求項５】
キッチンカウンター下に設置した機械が前方に移動するのを防止する装置であり、
機械載置部材に固定される固定側移動防止部材を有し、その固定側移動防止部材に弾性変形する当接片が形成されており、機械が前方から後方に移動する場合には当接片が変形してその移動を阻止しない一方、機械が後方から前方に移動する場合には自然形状に復帰した当接片が機械の脚に当接して機械が前方に移動するのを防止することを特徴とする位置決め装置。
【発明の詳細な説明】
【０００１】
【発明の属する技術分野】本発明は、例えば食器洗浄機のように、キッチンカウンター下に設置して用いる機械が、前方に移動するのを防止するための装置に関する。
【０００２】
【従来の技術】例えば食器洗浄機のように、キッチンカウンター下に設置して用いる機械が存在する。このような機械は、設置した後に前方に移動するのを防止しておかなければならない。特に、引出式食器洗浄機では、作業者が食器洗浄槽を前方に引き出すために、引出式食器洗浄機本体が前方に移動するのを確実に防止しておかなければならない。
キッチンカウンター下に設置する機械は、上方からはキッチンカウターで規制され、下方からは機械載置面で規制されるために、上下動可能な範囲がひどく狭い。しかも機械の容積を最大に確保するために脚の高さも押さえられている。機械の下面と機械の載置面との間隔が狭く、その狭い範囲内で位置決め装置を取付けなければならない。
特開２００１−６１７４５号公報には、機械の前面下方に当接して機械が前方に移動するのを規制する装置が開示されている。
【０００３】
【発明が解決しようとする課題】しかしながら、機械の前面下方に当接して移動を防止する方式では、位置決め部材が機械の前面に露出し、外観がスマートでないという問題がある。特開２００１−６１７４５号公報記載の技術では、引出の前面板（扉）によって隠れる機械の下側の前面を利用することによってスマートな外観を確保しているが、そのために、引出を引き出しておいて位置決め用金具を固定する必要があり、取付け作業が難しい。作業者は引き出した引出で視野が遮られた状態で位置決め用金具を固定しなければならない。
本発明では、機械が備えている脚を利用して固定する方式を改良し、外観がスマートで、しかも位置決め装置の取付け作業を簡単かつ安全に実施できる位置決め装置を実現する。
【０００４】
【課題を解決するための手段と作用】請求項１の位置決め装置は、キッチンカウンター下に設置した機械が前方に移動するのを防止するためのものであり、機械載置部材に固定される固定側移動防止部材と、その固定側移動防止部材にスライド可能であるとともに当接部を有するスライド側移動防止部材を有する。そのスライド側移動防止部材が一方側のスライド端に位置したときに固定側移動防止部材から離脱不可能となり、しかも当接部が機械の脚に当接して機械が前方に移動するのを防止する位置関係に置かれることを特徴とする。
【０００５】
機械がキッチンの床面に直接に載置される場合には、キッチン床が機械載置部材となり、キッチン床面に固定側移動防止部材が固定される。機械が置台の上に載置される場合には、置台に固定側移動防止部材が固定される。固定側移動防止部材は、機械を設置するのに先立って固定されることから、簡単に固定することができる。
機械は固定側移動防止部材が固定されてから設置される。その後に、スライド側移動防止部材が一方側のスライド端に置かれる。このとき、スライド側移動防止部材は固定側移動防止部材から離脱不可能となり、スライド側移動防止部材の当接部が機械の脚に当接して機械が前方に移動することを防止する。
この位置決め装置は、機械の下面と機械の載置面との間の狭い間隔に簡単に設置することができ、作業性がよい。しかも、機械の前面ではなく、脚に当接して位置決めすることから外観を損ねない。
【０００６】
スライド側移動防止部材が固定側移動防止部材の他方側にスライドすると前記固定側移動防止部材から離脱可能となることが好ましい。
この場合、最初に固定側移動防止部材のみを固定しておき、その状態で機械を設置することができることから、作業性が一層改善される。
【０００７】
機械の左右両サイドの前面に固定される一対の補助部材をさらに備えており、その補助部材が固定側移動防止部材に係合することによって機械が上方に移動することを防止することがさらに好ましい。
この場合、機械の運転時に機械が振動しても、載置面から持ち上がることが防止される。このために、スライド側移動防止部材の当接部を高さを低く押さえることができる。また、機械の左右両サイドの前面を利用することから引き出した引出で視野が遮られた状態で固定作業をする必要がない。
【０００８】
一対の補助部材が固定側移動防止部材に係合することによって、スライド側移動防止部材がスライドすることと、機械が左右方向に移動することと、機械が後方に移動することを防止することが好ましい。
この場合一対の補助部材が、機械の上下動を防止し、機械の左右動を防止し、機械の後方への移動を防止し、スライド側移動防止部材が離脱方向にスライドするのを防止することになり、４つの機能を併せ持つ。
【０００９】
請求項５の位置決め機構は、キッチンカウンター下に設置した機械が前方に移動するのを防止するための装置であり、機械載置面に固定される固定側移動防止部材を有している。固定側移動防止部材には弾性変形する当接片が形成されており、機械が前方から後方に移動する場合には当接片が変形してその移動を阻止しない一方、機械が後方から前方に移動する場合には自然形状に復帰した当接片が機械の脚に当接して機械が前方に移動することを防止することを特徴とする。
【００１０】
この位置決め装置によると、固定側移動防止部材を固定しておいてから機械を設置するだけで機械が前方に移動することを防止でき、作業性がすこぶる良好である。
【００１１】
【発明の実施の形態】以下、本発明の実施例の主要な特徴を列記する。
（形態１）　固定側移動防止部材とスライド側移動防止部材は、金属プレートを折り曲げて形成されている。
【００１２】
【実施例】
（第１実施例）　本発明に係る第１実施例を説明する。ここでは、キッチンカウンター下に設置した食器洗浄器が前方に移動するのを防止する実施例を、図１〜図１３を参照しながら説明する。
最初に食器洗浄機１０の構成と動作について簡単に説明する。食器洗浄機１０は、図１に示されているように、キッチンカウンター１１の下方で置台１２の上に設置される。食器洗浄機１０の洗浄機本体１４は、前方が開放されており、ここに洗浄槽１６が引き出し可能に装着される。洗浄槽１６は、上部が開放された箱状に形成されており、その前面には扉１７が設けられている。使用者は、洗浄槽１６の上部開放部から食器１５を出し入れすることができる。洗浄槽１６の扉１７には、使用者が洗浄槽１６に収容／引き出しの力を加えるための取っ手１７ａが形成されている。使用者によって洗浄槽１６が収容位置に戻されると、洗浄槽１６の動きと連動して動作するシール蓋開閉機構（図示省略）によって、洗浄機本体１４の内側上部に配置されているシール蓋（図示省略）が下がり、洗浄槽１６の上部開放部に蓋をする。この状態で操作パネル１７ｂに設けられる運転スイッチをオンにすると、洗浄槽１６が収容位置にロックされ、食器洗浄機１０が運転を開始する。食器洗浄機１０が運転を開始すると、洗浄槽１６に入れられた食器１５に洗浄水が勢いよく吹き付けられ、この作用によって食器１５が洗浄される。
洗浄機本体１４の左右両サイドの前面１４ａは、洗浄槽１６が収容されると扉１７によって隠される。
【００１３】
続いて食器洗浄機１０が移動するのを防止する構成について説明する。図２と図３に、固定側移動防止部材２２が示されている。固定側移動防止部材２２は、図４に示すように、食器洗浄機１０を載置する置台１２に固定される。
固定側移動防止部材２２は、平面状のベース部２２ａと、このベース部２２ａの後側端縁に設けられた一対の係止片２２ｂを有している。固定側移動防止部材２２の左右両端には、後記する補助部材７０を係止する一対の係止部２２ｄが形成されており、一対の係止部２２ｄの内側には、後記する補助部材７０と当接する一対の当接縁２２ｅが形成されている。ベース部２２ａの左右端部近傍には、上下に貫通する一対の丸穴２２ｃが形成されている。
固定側移動防止部材２２は、図４に示されているように、置台１２の天板１２ａの前方（矢印３２の方向）縁に沿ってスクリュー３３によって固定される。
【００１４】
図５と図６に、スライド側移動防止部材４２が示されている。スライド側移動防止部材４２には、図５と図６に示されるように、平面状のベース部４１ａと、一対の係止片４２ｂが形成されており、係止片４２ｂの前方にはスリット４２ｆが形成され、右方には切欠４２ｇが形成されている。スライド側移動防止部材４２の中央部には取っ手４２ｄが形成されており、左右の両端部には係止片４２ｅが形成されている。両端部に隣接して一対の当接片４２ｃが垂直に立ち上がっている。
【００１５】
固定側移動防止部材２２にスライド側移動防止部材４２が組み込まれる状態について説明する。最初に、スライド側移動防止部材４２が取り外されている状態で固定側移動防止部材２２を置台１２に固定する（前述、図４）。次いで、食器洗浄機１０を置台１２に置く。食器洗浄機１０を所定の位置よりも若干奥側に押込んだ状態で、スライド側移動防止部材４２を固定側移動防止部材２２に固定する。その取付け作業を次に説明する。
最初に、図７〜９に示すように、スライド側移動防止部材４２のベース部４２ａにある切欠４２ｇを固定側移動防止部材２２のプレート２２ａ上にある係止片２２ｂに対応する位置関係におき、スライド側移動防止部材４２を後方に移動させる（図８の矢印Ａ参照）。次に右方向にスライド（図８の矢印Ｂ参照）させ、スリット４２ｆ内に係止片２２ｂの立ち上がり部を収容する（図９参照）。スライド側移動防止部材４２を固定側移動防止部材２２に対して右方向にスライド端までスライドさせると、スライド側移動防止部材４２の係止片４２ｂが固定側移動防止部材２２の係止片２２ｂの下に潜り込み、スライド側移動防止部材４２が上方に移動することを防止する。また、係止片４２ｂが係止片２２ｂの立ち上がり部の後方に位置し、スライド側移動防止部４２が前方に移動することを防止する。この位置関係において、スライド側移動防止部材４２の当接片４２ｃは、図１０に示すように、食器洗浄機１０の脚１０ａの前方位置に来るように設計されている。食器洗浄機１０の脚１０ａの前面に当接部４２ｃが当接することによって食器洗浄機１０が前方へ移動するのを防止する。
【００１６】
次に、食器洗浄機本体１４と補助部材７０と固定側移動防止部材２２で各種移動防止が行なわれる状態について説明する。固定側移動防止部材２２を置台１２に固定し、食器洗浄機１０をキッチンカウンター１１下に収容し、スライド側移動防止部材４２を固定側移動防止部材２２に嵌め込んだあとに、図１１に示す１対の補助部材７０を、図１２に示すように、食器洗浄機本体１４の左右両サイドの前面１４ａにスクリュウ７０ａで固定する。このとき、補助部材７０の係止片７０ｂを固定側移動防止部材２２の係止片２２ｄの下に潜り込ませる（図１３参照）。
食器洗浄機本体１４の左右両サイドの前面１４ａは、洗浄槽１６を収容位置（押し込んだ状態）に戻すと食器洗浄機１４の扉１７によって隠されるために、補助部材７０が見栄えを損ねることがない。設置時、スクリュウ７０ａの取付け位置は引き出した引出によって隠されないために、作業者はスクリュウ７０ａを視認しながら作業をすることができる。
【００１７】
食器洗浄機１０に固定された１対の補助部材７０の係止片７０ｂが固定側移動防止部材２２の係止片２２ｄの下に潜むことによって、食器洗浄機１０は上方に持ち上がることが防止され、さらには後方に押しこまれることが防止される（スライド側移動防止部材４２の当接片４２ｃに当接することで前側に移動することも防止されている）。また一対の補助部材７０が、固定側移動防止部材２２の一対の当接縁２２ｅを外側から挟み込むために、食器洗浄機１０が左右方向にスライドすることを防止する。さらに右側の補助部材７０が、スライド側移動防止部材４２の右側の係止片４２ｅに当接するために、スライド側移動防止部材４２が左方へスライドするのを防止する。スライド側移動防止部材４２がアンロック方向にスライドすることが防止される。１対の補助部材７０を利用することで、食器洗浄機１０が前後左右上下方向移動しないように位置決めされる。
【００１８】
請求項２の離脱可能については、今まで述べてきた取り付け方法の逆工程を行なうことである。簡単に説明すると、補助部材７０を食器洗浄機１０から取り外すことと、スライド側移動防止部材４２を固定側移動防止部材２２の他方側にスライドすることにより、容易に食器洗浄機１０をキッチンカウター１１下の収容位置から取出すことができる。
【００１９】
（第２実施形態）　図１４〜図１６を参照しながら、第２実施形態の位置決め装置について説明する。
図１４に示すように、食器洗浄機載置部材１２に固定される固定側移動防止部材７１には、一対の弾性変形する当接片７１ａが形成されており、食器洗浄機１０が前方から後方に移動する場合（食器洗浄機設置時）には当接片７１ａが変形するために（図１５参照）その移動を阻止しない一方、食器洗浄機１０が後方から前方に移動しようとする場合（設置後）には自然形状に復元した当接片７１ａが脚１０ａに当接して食器洗浄機１０が前方に移動することを防止する（図１６参照）。
食器洗浄機載置台１２の奥側に予め転倒防止部材７２を取り付けておくことによって食器洗浄機１０が奥側に押しこまれ過ぎて転倒することを防止できる。
固定側移動防止部材７１の左右両サイドに一対の係止片７１ｄがあり、第１実施形態で用いた補助部材７０と同様の使い方により、食器洗浄機１０と固定側移動防止部材７１を固定する。固定側移動防止部材７１に係止片７１ｃがあることにより、食器洗浄機の脚１０ａで左右方向への移動防止となる。また、固定側移動防止部材７１に、食器洗浄機の脚１０ａの後面に当接する後方位置決片７１ｂを形成しておくと、転倒防止部材７２を省略することができる。
【００２０】
【発明の効果】本発明によると、キッチンカウンター下という狭い空間に設置した機械を位置決めして移動防止するための装置を簡単に見栄え良く設置することができ、機械の前後左右上下の移動を確実に防止することができる。
【図面の簡単な説明】
【図１】キッチンカウンター下に設置する機械の一例を示す図。
【図２】固定側移動防止部材の平面図。
【図３】固定側移動防止部材の正面図。
【図４】置台上に固定される固定側移動防止部材の斜視図。
【図５】スライド側移動防止部材の平面図。
【図６】スライド側移動防止部材の正面図。
【図７】固定側移動防止部材の係止片２２ｂ周辺の斜視図。
【図８】スライド側移動防止部材の係止片４２ｂ周辺の斜視図。
【図９】スライド側移動防止部材が固定側移動防止部材に嵌め込まれる様子を示す図。
【図１０】スライド側移動防止部材が固定側移動防止部材に嵌め込まれた状態での側面図。
【図１１】補助部材の斜視図。
【図１２】食器洗浄機と固定側移動防止部材が補助部材で位置決めされた状態を示す斜視図。
【図１３】食器洗浄機と固定側移動防止部材が補助部材で位置決めされた部分を拡大して示す側面図。
【図１４】第２実施例の位置決め装置の全体斜視図。
【図１５】食器洗浄機が位置決め装置を変形させながら設置される様子を示す側面図。
【図１６】設置した食器洗浄機が前方に移動することが防止される様子を示す側面図。
【符号の説明】
１０：食器洗浄機
１０ａ：脚
１１：キッチンカウンター
１２：置台
１４：洗浄機本体
１４ａ：洗浄機本体の左右両サイドの前面
１５：食器
１６：洗浄槽
１７：扉
１７ａ：取っ手
１７ｂ：操作パネル
２２：固定側移動防止部材
２２ａ：ベース部
２２ｂ：係止片
２２ｃ：丸穴
２２ｄ：係止片
２２ｅ：当接片
３３：スクリュー
４２：スライド側移動防止部材
４２ａ：ベース部
４２ｂ：係止片
４２ｃ：当接片
４２ｄ：取っ手
４２ｅ：係止片
４２ｆ：スリット
４２ｇ：切欠
７０：補助部材
７０ａ：スクリュー
７０ｂ：係止片
７１：固定側移動防止部材
７１ａ：弾性変形する当接片
【図１】
2004008465.tif 000003
【図２】
2004008465.tif 000004
【図３】
2004008465.tif 000005
【図４】
2004008465.tif 000006
【図５】
2004008465.tif 000007
【図６】
2004008465.tif 000008
【図７】
2004008465.tif 000009
【図８】
2004008465.tif 000010
【図９】
2004008465.tif 000011
【図１０】
2004008465.tif 000012
【図１１】
2004008465.tif 000013
【図１２】
2004008465.tif 000014
【図１３】
2004008465.tif 000015
【図１４】
2004008465.tif 000016
【図１５】
2004008465.tif 000017
【図１６】
2004008465.tif 000018